(57)【要約】【課題】天板のコストを大幅に下げるとともに、天板の破損による製造ロスや怪我などの危険を回避することができる電磁誘導加熱調理器を提供する。【解決手段】本発明の電磁誘導加熱調理器は、天板５と、前記天板５を支持する上ケース２と、前記上ケース２に固定され、前記上ケース２とともに外枠４を形成する下ケース３と、前記外枠４の内部に配置され、前記天板５の下方に位置する加熱コイル７とを備え、前記天板５を複数に分割することで、天板５を従来に比べて小型化する構成とした。【選択図】図１
2011258368.tif 000002
【特許請求の範囲】
【請求項１】
天板と、
前記天板を支持する上ケースと、
前記上ケースに固定され、前記上ケースとともに外枠を形成する下ケースと、
前記外枠の内部に配置され、前記天板の下方に位置する加熱コイルとを備えた電磁誘導加熱調理器において、
前記天板は複数に分割されていることを特徴とする電磁誘導加熱調理器。
【請求項２】
天板と、
前記天板を支持する上ケースと、
前記上ケースに固定され、前記上ケースとともに外枠を形成する下ケースと、
前記外枠の内部に配置され、前記天板の下方に位置する加熱コイルとを備えた電磁誘導加熱調理器において、
前記下ケースに取り付けられ、上面吸気口および下面吸気口を有する両面吸気ファンと、
前記下面吸気口に対応する位置で前記下ケースに設けられる第１吸気口と、
前記第１吸気口の外側の位置で前記下ケースに設けられる第２吸気口と、
前記上面吸気口および前記第２吸気口の上面を覆うファンカバーとを備えることを特徴とする電磁誘導加熱調理器。
【発明の詳細な説明】
【技術分野】
【０００１】
本発明は、加熱コイルで鍋を誘導加熱する電磁誘導加熱調理器に関する。
【背景技術】
【０００２】
従来、この種の電磁誘導加熱調理器は、例えば特許文献１に開示されるように、トッププレートである天板の上面に鍋を載置して電磁誘導加熱を行うものであり、天板は耐熱性結晶化ガラスやセラミックスの一枚板から構成される。また、調理器の内部部品を冷却するファンには、片面吸気のファンが使用され、冷却空気を排出する排気方向は、取り付け部の構造で方向付けられている。
【先行技術文献】
【特許文献】
【０００３】
【特許文献１】特開２００８−１１７７２６号公報
【発明の概要】
【発明が解決しようとする課題】
【０００４】
しかしながら、従来の電磁誘導加熱調理器では、天板のサイズが大きいことから取り数が悪く、製造コストが増大してしまう問題があった。さらに、天板のサイズが大きいことで、調理器の使用中や輸送時などに天板が割れやすい不具合も生じていた。
【０００５】
また、別な問題として、片面吸気ファンの排気方向の方向付けは難しく、個々の部品に風を当て、部品の温度を下げることは困難であるという問題があった。両面吸気ファンを用いれば、一定の排気方向に空気を排出することができる。しかしながら、従来の構造では、片方の面は外気を吸気することができる一方で、他方の面は内気を吸気することになり、部品の温度を十分に下げることができない問題があった。
【０００６】
そこで本発明は上記問題点に鑑み、低コストで作製でき、割れにくい天板を有する電磁誘導加熱調理器を提供することを第１の目的とする。
【０００７】
また本発明は、両面吸気ファンの両面を外気吸気とし、部品の冷却効果を向上する電磁誘導加熱調理器を提供することを第２の目的とする。
【課題を解決するための手段】
【０００８】
請求項１の発明は、天板と、前記天板を支持する上ケースと、前記上ケースに固定され、前記上ケースとともに外枠を形成する下ケースと、前記外枠の内部に配置され、前記天板の下方に位置する加熱コイルとを備えた電磁誘導加熱調理器において、前記天板は複数に分割されていることを特徴とする。
【０００９】
請求項１の発明によれば、天板が複数に分割されることから、天板は、従来のように一枚板で形成される場合に比べ、小型化されることができる。その結果、材料の取り数が良くなり、天板のコストを大幅に下げることができる。また、天板が小型化されることで、天板が割れにくくなり、天板の破損による製造ロスや怪我などの危険を回避することができる。
【００１０】
請求項２の発明は、天板と、前記天板を支持する上ケースと、前記上ケースに固定され、前記上ケースとともに外枠を形成する下ケースと、前記外枠の内部に配置され、前記天板の下方に位置する加熱コイルとを備えた電磁誘導加熱調理器において、前記下ケースに取り付けられ、上面吸気口および下面吸気口を有する両面吸気ファンと、前記下面吸気口に対応する位置で前記下ケースに設けられる第１吸気口と、前記第１吸気口の外側の位置で前記下ケースに設けられる第２吸気口と、前記上面吸気口および前記第２吸気口の上面を覆うファンカバーとを備えることを特徴とする。
【００１１】
請求項２の発明によれば、下ケースの第１吸気口を通して両面吸気ファンの下面吸気口から外気を吸気し、下ケースの第２吸気口を通して両面吸気ファンの上面吸気口から外気を吸気することができる。したがって、両面吸気ファンの両面から外気を吸気することができるので、冷却効率を向上し、部品の温度を十分に下げることができる。
【発明の効果】
【００１２】
本発明における上記構成の電磁誘導加熱調理器であれば、天板のコストを大幅に下げるとともに、天板の破損による製造ロスや怪我などの危険を回避することができ、またファンの冷却効率を向上し、部品の温度を十分に下げることができる。
【図面の簡単な説明】
【００１３】
【図１】本発明の電磁誘導加熱調理器の構成を示す図であり（Ａ）上面図、（Ｂ）Ｂ−Ｂ断面方向の断面図、（Ｃ）Ｃ−Ｃ断面方向の断面図である。
【図２】同上、電源基板に素子を埋め込んだ状態を示す模式図である。
【図３】同上、冷却装置の両面吸気ファンを取付けた状態を示す斜視図である。
【図４】同上、冷却装置の空気の流れを示す模式図である。
【図５】同上、冷却装置の第１および第２吸気口の斜視図である。
【図６】同上、冷却装置のファンカバーを取付けた状態を示す斜視図である。
【図７】本発明の電磁誘導加熱調理器の変形例を示す上面図である。
【発明を実施するための形態】
【００１４】
以下、添付図面を参照しつつ、本発明における電磁誘導加熱調理器の好ましい実施例を説明する。図１（Ａ）〜（Ｃ）は本実施例における調理器本体１の基本的な全体構成を示す。同図において、調理器本体１は、上ケース２とその下面に接合される下ケース３とにより外枠４が形成される。調理器本体１は、その上面に例えば鍋やプレート（図示せず）が載置される天板５を有している。
【００１５】
図１（Ａ）に示すように、天板５は４つの長方形の天板６を組合せて構成されており、それぞれの天板６が、上ケース２の上面にシリコーンなどの樹脂（図示せず）で固定され、上ケース２に支持されている。すなわち本実施例の天板５は、従来の一枚板の天板を４分割した構成であり、従来の一枚板の天板に比べて約１／４の大きさに小型化されている。
【００１６】
調理器本体１の内部には、環状の加熱コイル７が天板５の下面に対向して配置される。この加熱コイル７に高周波電流を供給すると、加熱コイル７から発生する交番磁界で鍋やプレートが電磁誘導加熱され、ひいては鍋やプレート内の被調理物が加熱されるようになっている。
【００１７】
上ケース２は、天板５の外側から調理本体１の手前側にかけて傾斜面を有しており、傾斜面には加熱・鍋物キーや火力調節キーなどの各種キー８を備える操作部９が配置される。操作部９はキー８や中央に配置される表示部10、操作基板11で概ね構成され、ユーザは表示部10の表示を確認しながらキー操作を行えるようになっている。操作基板11は、傾斜面の内面側に張り出して、上ケース２に固定されている。
【００１８】
図１（Ｂ）に示すように、加熱コイル７はコイルベース12の上面に固定される。コイルベース12にはベース本体13から下方に複数の脚部14が延設され、脚部14が下ケース３の内面側に固定される。コイルベース12の高さ、すなわち脚部14の長さは、加熱コイル７と上ケース２との間が所定の間隔となるよう調整される。
【００１９】
加熱コイル７などに電力を供給する電源基板15は、加熱コイル７の側方に設置される。図１（Ｃ）に示すように、電源基板15には基板本体16から下方に複数の脚部17が延設され、脚部17が下ケース３の内面側に固定される。電源基板15には、コンデンサやＩＧＢＴ、ダイオードブリッジ、チョークコイルなどの大型の素子18が配置される。これらの素子18は、電源基板15の下面に突き出しており、電源基板15の高さ、すなわち脚部17の長さは、素子18の突き出す高さに合せて調整される。そのため、調理器本体１の高さは、この電源基板15の高さによって決定される。
【００２０】
そこで、図２に示すように、基板本体16上の大型の素子18の取付部に貫通穴19を設け、貫通穴19に素子18の一部を埋め込む構成とした。こうすることで、電源基板15の高さを低くすることができ、その結果、調理器本体１の高さを低くすることができる。
【００２１】
図１（Ｃ）において、電源基板15と操作基板11との間には、電源基板15や加熱コイル７などを冷却する冷却ファン20が下ケース３の内面側に固定される。冷却ファン20には、シャフト（図示せず）の軸方向から取り込んだ空気を、シャフトの放射方向に送り出し、電源基板15に配置されるコンデンサやＩＧＢＴ、ダイオードブリッジ、チョークコイルなどの発熱素子18を直接冷却するシロッコファンなどの遠心ファンが用いられればよい。
【００２２】
図１（Ｂ）において、コイルベース12と操作基板11との間には、加熱コイル７などを冷却する冷却装置21が設けられる。冷却装置21は、両面吸気ファン22と、第１および第２吸気口23，24と、ファンカバー25とで構成される。図３および４に示すように、上面吸気口26および下面吸気口27を有する両面吸気ファン22は冷却装置21の中央に配置される。
【００２３】
図５に示すように、下面吸気口27に対応する下ケース３の位置には、第１吸気口23が形成される。第１吸気口23は、下面吸気口27の形状および大きさに合せて円形状に形成され、格子状の複数の孔28を有する。両面吸気ファン22は、第１吸気口23を通して下面吸気口27から下面吸気29を吸気するようになっている。
【００２４】
第１吸気口23の外側には、第２吸気口24が形成される。本実施例では、第１吸気口23の両側に２つの第２吸気口24が形成される。第２吸気口24は、外側立上り部30と内側立上り部31とを備える。外側立上り部30は、第１吸気口23の外側に、両面吸気ファン22に面する一辺を開口するコの字上に形成される。外側立上り部30は、下ケース３に取付けられた両面吸気ファン22の高さよりも所定の分だけ高い高さまで立上る。外側立上り部30の開口部分には、内側立上り部31が外側立上り部30の高さの半分ほどの高さまで立上る。外側立上り部30と内側立上り部31の間には、内側立上り部31の上端から下ケース３の底面と平行に格子状の複数の孔32が形成される。すなわち、第２吸気口24の孔32は、第１吸気口23の孔28よりも高い位置に形成される。なお、図５に示されるように、内側立上り部31の側面にも孔33が形成されるようにしてもよい。
【００２５】
図４および６に示すように、ファンカバー25は、両面吸気ファン22の上面吸気口26および第２吸気口24の上面を覆う。両面吸気ファン22とファンカバー25との間および上面吸気口26とファンカバー25との間には、それぞれ所定の間隔が設けられ、空気が流れることができるようになっている。ファンカバー25の第２吸気口24を覆う部分には、ファンカバー25の外郭に沿って外縁34が形成され、外縁34の内側に外縁34と平行な内縁35が形成される。外縁34および内縁35の間に外側立上り部30の上端が嵌め込まれ、ファンカバー25は外側立上り部30に支持されるようになっている。また、ファンカバー25は、両面吸気ファン22を覆う部分に段差部36を有し、段差部36の下面と両面吸気ファン22の上面が接するようになっている。こうしてファンカバー25と両面吸気ファン22および第２吸気口24との間には、上面吸気37の通り道となる空気の流通路38が形成され、両面吸気ファン22は、第２吸気口24および流通路38を通して上面吸気口26から上面吸気37を吸気するようになっている。
【００２６】
以上のようにして、冷却装置21は、両面吸気ファン22の上面および下面の両面から吸気し、図３に示す方向Ｄに空気を排出し、加熱コイル７などを冷却するようになっている。
【００２７】
次に、上記の構成の電磁誘導加熱調理器の作用について説明する。前述のように、本実施例では、天板５が分割されることから、分割された天板６の大きさは従来の一枚板の場合に比べて小型化される。その結果、材料の取り数が良くなり、天板５のコストを大幅に下げることができる。また、天板５が小型化されることで、電磁誘導加熱調理器の使用中や輸送時などに天板５が割れやすい不具合を解消し、天板５の破損による製造ロスや怪我などの危険を回避することができる。
【００２８】
従来、冷却装置21に両面吸気ファン22を用いた場合には、片方の面は外気を吸気することができる一方で、他方の面は内気を吸気することになり、部品の温度を十分に下げることができなかった。これに対し、本実施例では、下ケース３に第１および第２吸気口23，24を設け、ファンカバー25で第２吸気口24から両面吸気ファン22の上面吸気口26への空気の流通路38を形成することで、第１吸気口23を通して下面吸気口27から吸気し、第２吸気口23および流通路38を通して上面吸気口26から吸気することができる。両面吸気ファン22の上面吸気口26および下面吸気口27の両面から外気を吸気することで、冷却効率を向上し、部品の温度を十分に下げることができる。
【００２９】
ＩＧＢＴやダイオードブリッジなどの発熱素子18を冷却する冷却ファン20に冷却風の指向性が大きいシロッコファンなどの遠心ファンを使用することで、発熱素子18に直接冷却風を当てて、冷却効率を向上することができる。したがって、従来に比べて小さな放熱器（図示せず）で十分な冷却効果を得ることができ、放熱器を小型化して調理基本体１の薄型化を図ることができる。
【００３０】
基板本体16上の大型の素子18の取付部に貫通穴19を設け、貫通穴19に素子18の一部を埋め込む構成とすることで、電源基板15の高さを低くすることができ、その結果、調理器本体１の高さを低くすることができる。発明者らは、調理基本体１の高さを６ｃｍから約３ｃｍと約半分の高さに薄型化することに成功した。
【００３１】
以上のように、本実施例では、天板５と、前記天板５を支持する上ケース２と、前記上ケース２に固定され、前記上ケース２とともに外枠４を形成する下ケース３と、前記外枠４の内部に配置され、前記天板５の下方に位置する加熱コイル７とを備えた電磁誘導加熱調理器において、前記天板５は複数に分割されている。
【００３２】
この場合、天板５が複数に分割されることから、天板５は、従来のように一枚板で形成される場合に比べ、小型化されることができる。その結果、材料の取り数が良くなり、天板５のコストを大幅に下げることができる。また、天板５が小型化されることで、天板５が割れにくくなり、天板５の破損による製造ロスや怪我などの危険を回避することができる。
【００３３】
また、本実施例では、天板５と、前記天板５を支持する上ケース２と、前記上ケース２に固定され、前記上ケース２とともに外枠４を形成する下ケース３と、前記外枠４の内部に配置され、前記天板５の下方に位置する加熱コイル７とを備えた電磁誘導加熱調理器において、前記下ケース３に取り付けられ、上面吸気口26および下面吸気口27を有する両面吸気ファン21と、前記下面吸気口27に対応する位置で前記下ケース３に設けられる第１吸気口23と、前記第１吸気口23の外側の位置で前記下ケース３に設けられる第２吸気口24と、前記上面吸気口26および前記第２吸気口24の上面を覆うファンカバー25とを備えている。
【００３４】
この場合、下ケース３の第１吸気口23を通して両面吸気ファン21の下面吸気口27から外気を吸気し、下ケース３の第２吸気口24を通して両面吸気ファン21の上面吸気口26から外気を吸気することができる。したがって、両面吸気ファン21の両面から外気を吸気することができるので、冷却効率を向上し、部品の温度を十分に下げることができる。
【００３５】
なお、変形例として、図７に示すように、従来円形の一枚板であった天板を扇形状の天板39に分割したものであってもよい。図７では、円形の天板が６分割されており、従来の一枚板の天板に比べて約１／６の大きさに小型化されている。
【００３６】
なお、本発明は上記実施例に限定されるものではなく、本発明の趣旨を逸脱しない範囲で変更可能である。例えば、天板６，39の形状は長方形や扇形状に限られず、分割数も４分割や６分割に限られるものではない。また、第１および第２吸気口23，24の孔28，32も格子状に限られるものではない。
【符号の説明】
【００３７】
２  上ケース
３  下ケース
４  外枠
５  天板
７  加熱コイル
２１  両面吸気ファン
２３  第１吸気口
２４  第２吸気口
２５  ファンカバー
２６  上面吸気口
２７  下面吸気口
【図１】
2011258368.tif 000003
【図２】
2011258368.tif 000004
【図３】
2011258368.tif 000005
【図４】
2011258368.tif 000006
【図５】
2011258368.tif 000007
【図６】
2011258368.tif 000008
【図７】
2011258368.tif 000009